(57)【要約】【課題】エアコン装置による快適温度に達する時間を短縮でき、消費電力を低減して省エネに資することのできる換気装置および換気システムを提供する。【解決手段】換気装置Ｆ１は、屋内側に開口した第１屋内開口部１０および第２屋内開口部２０と、第１屋内開口部および第２屋内開口部と対向して屋外側に開口した第１屋外開口部１１０および第２屋外開口部１２０と、第１屋内開口部と第１屋外開口部との間に配置され、軸流ファン１０１を備える第１送風機１１２と、第２屋内開口部と第２屋外開口部との間に配置され、軸流ファン１０１を備える第２送風機１１３と、本装置と離間して設置されるエアコン装置Ａ１と動作を連携させる連携手段５０２と、第１送風機、第２送風機および連携手段の動作を制御する制御装置とを備える。【選択図】図５
2019095180.tif 000002
【特許請求の範囲】
【請求項１】
屋内側に開口した第１屋内開口部および第２屋内開口部と、
前記第１屋内開口部および前記第２屋内開口部と対向して屋外側に開口した第１屋外開口部および第２屋外開口部と、
前記第１屋内開口部と前記第１屋外開口部との間に配置され、軸流ファンを備える第１送風機と、
前記第２屋内開口部と前記第２屋外開口部との間に配置され、軸流ファンを備える第２送風機と、
本装置と離間して設置されるエアコン装置と動作を連携させる連携手段と、
前記第１送風機、前記第２送風機および前記連携手段の動作を制御する制御装置と
を備える換気装置。
【請求項２】
前記第１送風機が備える軸流ファンの径は、前記第２送風機が備える軸流ファンの径よりも大きく選定される請求項１に記載の換気装置。
【請求項３】
前記軸流ファンは、可変翼機構を備える請求項１または請求項２に記載の換気装置。
【請求項４】
屋内側に開口した屋内開口部と、
屋外側に開口した屋外開口部と、
前記屋内開口部と前記屋外開口部との間に配置され、貫流ファンを備える送風手段と、
本装置と離間して設置されるエアコン装置と動作を連携させる連携手段と、
前記送風手段および前記連携手段の動作を制御する制御装置と
を備える換気装置。
【請求項５】
前記貫流ファンは、
空気の給排気を行う一対の開口部を対向位置に有するケーシングと、
前記ケーシング内に設けられるモータと、
前記モータに回転自在に軸支される羽根車と、
前記ケーシング内の一側面に有って一方の開口部から吸引した空気を、他方の開口部側に案内するリアガイダと、
前記開口部の近傍に有って、前記リアガイダに沿って流れる空気を該開口部から排出するように導くスタビライザと
を備え、
前記羽根車の長手方向の所定位置を境に、前記リアガイダおよび前記スタビライザを点対称となる位置に配置して、前記開口部からの給排気方向を反転させる請求項４に記載の換気装置。
【請求項６】
前記貫流ファンは、防塵用のフィルタを備え、
該フィルタは、前記スタビライザと対向する側の前記開口部を覆うように夫々配置される請求項４または請求項５に記載の換気装置。
【請求項７】
前記フィルタは、前記ケーシングの側面に開口されるフィルタ用開口部から着脱される請求項６に記載の換気装置。
【請求項８】
前記屋外開口部の外側に開閉可能なルーバを備え、
該ルーバが備えるアクチュエータは前記制御装置で制御される請求項１〜７の何れか１項に記載の換気装置。
【請求項９】
室内環境を検知する室内センサおよび室外環境を検知する室外センサの少なくとも一方を備え、
前記制御装置は、前記室内センサまたは前記室外センサの検知結果に基いて、前記送風手段、前記連携手段および前記アクチュエータの動作を制御する請求項８に記載の換気装置。
【請求項１０】
前記室内センサおよび前記室外センサは、照度センサ、有害物質を感知する有害物質感知センサの少なくとも１つを含む請求項９に記載の換気装置。
【請求項１１】
窓枠へ本装置を取り付ける取付用枠体を備える請求項１〜１０の何れか１項に記載の換気装置。
【請求項１２】
前記取付用枠体は、前記窓枠の寸法に合わせて伸縮可能な伸縮機構を備える請求項１１に記載の換気装置。
【請求項１３】
前記取付用枠体は、本装置が備える筐体と係合して固定する係合部を備える請求項１１または請求項１２に記載の換気装置。
【請求項１４】
前記取付用枠体は、該取付用枠体に当接される窓の桟部と係合してロックするロック機構を備える請求項１１〜１３の何れか１項に記載の換気装置。
【請求項１５】
前記ロック機構は、
前記窓の桟部の開放側の端部と係合して、該窓の開放側への移動を阻止する係合部を備える請求項１４に記載の換気装置。
【請求項１６】
前記係合部は、
前記窓の桟部と接触しない第１位置と、前記窓の桟部と当接する第２位置とに移動可能な移動機構を備える請求項１５に記載の換気装置。
【請求項１７】
前記取付用枠体の外側に、前記ルーバを有する鎧戸を備える請求項１１〜１６の何れか１項に記載の換気装置。
【請求項１８】
前記ルーバは、リンク機構を介して鎧戸用アクチュエータに接続され、
前記鎧戸用アクチュエータは、前記制御装置で制御される請求項１７に記載の換気装置。
【請求項１９】
前記連携手段は、無線通信装置を含む請求項１〜１８の何れか１項に記載の換気装置。
【請求項２０】
請求項１から請求項１９の何れか１項に記載の換気装置と、
該換気装置と、前記連携手段を介して連携動作可能なエアコン装置と
を備える換気システム。
【発明の詳細な説明】
【技術分野】
【０００１】
本実施の形態は、換気装置および換気システムに関する。
【背景技術】
【０００２】
従来から、窓枠に取り付けられ、外気と室内空気との換気を行う換気装置（換気扇）が用いられている。
【０００３】
この種の換気装置として、排気運転と給気運転とを独立に同時に行うように排気用ファンと給気用ファンとを備えた換気装置が提案されている。
【０００４】
このような換気装置によれば、排気と給気とを同時に充分な風量で行うことができる。
【先行技術文献】
【特許文献】
【０００５】
【特許文献１】実用新案登録第３１０３２６０号公報
【発明の概要】
【発明が解決しようとする課題】
【０００６】
ところで、夏場において、締め切った部屋の室温を下げるためにエアコン装置を使用する場合などに、エアコン装置を起動してから人が快適と感じるまでに比較的長い時間を要し、消費電力が嵩むなどの不都合があった。
【０００７】
また、換気装置を用いる場合にも、エアコン装置と換気装置は別々に稼働しているため、快適温度に達する時間を短縮や省エネ効果を得ることはできなかった。
【０００８】
本実施の形態は、エアコン装置による快適温度に達する時間を短縮でき、消費電力を低減して省エネに資することのできる換気装置および換気システムを提供する。
【課題を解決するための手段】
【０００９】
本実施の形態の一態様によれば、屋内側に開口した第１屋内開口部および第２屋内開口部と、前記第１屋内開口部および前記第２屋内開口部と対向して屋外側に開口した第１屋外開口部および第２屋外開口部と、前記第１屋内開口部と前記第１屋外開口部との間に配置され、軸流ファンを備える第１送風機と、前記第２屋内開口部と前記第２屋外開口部との間に配置され、軸流ファンを備える第２送風機と、本装置と離間して設置されるエアコン装置と動作を連携させる連携手段と、前記第１送風機、前記第２送風機および前記連携手段の動作を制御する制御装置とを備える換気装置が提供される。
【００１０】
また、本実施の形態の他の態様によれば、屋内側に開口した屋内開口部と、屋外側に開口した屋外開口部と、前記屋内開口部と前記屋外開口部との間に配置され、貫流ファンを備える送風手段と、本装置と離間して設置されるエアコン装置と動作を連携させる連携手段と、前記送風手段および前記連携手段の動作を制御する制御装置とを備える換気装置が提供される。
【００１１】
また、本実施の形態の他の態様によれば、換気装置と、連携手段を介して連携動作可能なエアコン装置とを備える換気システムが提供される。
【発明の効果】
【００１２】
本実施の形態によれば、エアコン装置による快適温度に達する時間を短縮でき、消費電力を低減して省エネに資することのできる換気装置および換気システムを提供することができる。
【図面の簡単な説明】
【００１３】
【図１】本技術を適用した実施の形態に係る換気装置の室内側構成例を示す斜視図。
【図２】本技術を適用した実施の形態に係る換気装置の室外側構成例を示す斜視図。
【図３】本技術を適用した実施の形態に係る換気装置の構成例を示す側面図。
【図４】本技術を適用した実施の形態に係る換気装置を用いた換気システムを示す説明図。
【図５】本技術を適用した実施の形態に係る換気装置を用いた換気システムを示すブロック図。
【図６Ａ】本技術を適用した実施の形態に係る換気装置を用いた換気システムで実行される換気システム制御処理（その１）の処理手順を示すフローチャート。
【図６Ｂ】図６Ａの換気システム制御処理（その１）の続きを示すフローチャート。
【図７】本技術を適用した実施の形態に係る換気装置を用いた換気システムで実行される換気システム制御処理（その２）の処理手順を示すフローチャート。
【図８】本技術を適用した実施の形態に係る換気装置を用いた換気システムで実行される換気システム制御処理（その３）の処理手順を示すフローチャート。
【図９】本技術を適用した実施の形態に係る換気装置を用いた換気システムによる省電力の効果を示すグラフ。
【図１０】本技術を適用した実施の形態に係る換気装置を示す概略構成図。
【図１１】本技術を適用した実施の形態に係る換気装置に用いる貫流ファンの構成例を示す概略断面図。
【図１２】本技術を適用した実施の形態に係る換気装置を示す概略構成図。
【図１３】本技術を適用した実施の形態に係る換気装置を示す概略構成図。
【図１４】本技術を適用した実施の形態に係る換気装置およびその取付用枠体を示す斜視図。
【図１５】取付用枠体の構成例を示す斜視図。
【図１６】取付用枠体の窓枠への取付状態を示す斜視図。
【図１７】本技術を適用した実施の形態に係る換気装置の取付状態を示す斜視図。
【図１８】取付用枠体の伸長状態を示す説明図。
【図１９】（ａ）取付用枠体が備えるロック機構の回動状態を示す説明図、（ｂ）取付用枠体が備えるロック機構の窓との当接状態を示す説明図。
【図２０】本技術を適用した実施の形態に係る貫流ファンを備えた換気装置の外観を示す正面図。
【図２１】図２０に係る換気装置のＡ−Ａ線断面図。
【図２２】図２０に係る換気装置のＢ−Ｂ線断面図。
【図２３】本技術を適用した実施の形態に係る換気装置への鎧戸の取付状態を示す斜視図。
【図２４】鎧戸の内部構成の一部を示す斜視図。
【図２５】鎧戸の外観を示す斜視図。
【発明を実施するための形態】
【００１４】
次に、図面を参照して、本技術を適用した実施の形態を説明する。以下の図面の記載において、同一又は類似の部分には同一又は類似の符号を付している。
【００１５】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１６】
（換気装置および換気システムの構成例）
図１〜図５を参照して、本技術を適用した実施の形態に係る換気装置（換気扇）Ｆ１および換気システムＳ１の構成例について説明する。
【００１７】
ここで、図１は、換気装置Ｆ１の室内側構成例を示す斜視図、図２は、換気装置Ｆ１の室外側構成例を示す斜視図、図３は、換気装置Ｆ１の構成例を示す側面図、図４は、換気装置Ｆ１を用いた換気システムＳ１を示す説明図、図５は、換気システムＳ１を示すブロック図である。
【００１８】
図４に示すように、換気装置Ｆ１は、窓枠Ｗ１に取り付けて室内の換気を行う装置である。
【００１９】
換気装置Ｆ１は、図１〜図３に示すように、屋内側に開口した第１屋内開口部１０および第２屋内開口部２０と、第１屋内開口部１０および第２屋内開口部２０と対向して屋外側に開口した第１屋外開口部１１０および第２屋外開口部１２０とを備える。
【００２０】
第１屋内開口部１０および第２屋内開口部２０、第１屋外開口部１１０および第２屋外開口部１２０は、例えば樹脂で成形され、円形の開口部を有する矩形状の枠体として構成される。
【００２１】
なお、第２屋内開口部２０の下方には、後述する室内センサ４０を備える壁部３０が延設されている。
【００２２】
第１屋内開口部１０と第１屋外開口部１１０との間には、駆動源としてのモータＭ１とモータＭ１の回転軸に連結される軸流ファン（例えば、排気ファンとして機能する）１０１とで構成される第１送風機１１２が設けられている。
【００２３】
また、第２屋内開口部２０と第２屋外開口部１２０との間には、駆動源としてのモータＭ２とモータＭ２の回転軸に連結される軸流ファン（例えば、給気ファンとして機能する）１０２とで構成される第２送風機１１３が設けられている。
【００２４】
なお、軸流ファン１０１、１０２は、前述したように排気ファンとして機能する軸流ファン１０１より低い位置に給気ファンとして機能する軸流ファン１０２が設けられる事が望ましいが、モータＭ１、Ｍ２の回転方向を制御装置６００で制御することにより、給気または排気を切り換えることが可能であってもよい。また、軸流ファンの翼を可変にすることで吸気用ファンとして機能させるか、換気用ファンとして機能させるかを任意に選択できるような構成であってもよい。
【００２５】
また、図４に示すように換気装置Ｆ１と離間してエアコン装置Ａ１が設置され、換気装置Ｆ１には、図５に示すようにエアコン装置Ａ１と赤外線、ブルートゥース、ＷｉＦｉ等による無線通信装置などを介して動作を連携させる連携手段（通信部）５０２が設けられている。
【００２６】
また、換気装置Ｆ１は、第１送風機１１２、第２送風機１１３および連携手段５０２の動作を制御するマイクロコンピュータ等で構成される制御装置６００を備えている。
【００２７】
なお、第１屋内開口部１０および第２屋内開口部２０と、第１屋外開口部１１０および第２屋外開口部１２０とは、上下に隣接して設けられている。
【００２８】
ここで、軸流ファン１０１、１０２が固定翼を備える場合に、第１送風機１１２が備える軸流ファン１０１の径は、第２送風機１１３が備える軸流ファン１０２の径よりも大きく選定するとよい。これにより、排気をより効率的に行うことができる。
【００２９】
さらに、操作者が屋外に居ても操作できるようにインターネット経由で換気装置Ｆ１を操作するような構成を搭載してもよい。この場合、エアコン装置Ａ１経由で換気装置Ｆ１を操作してもよいし、直接換気装置Ｆ１を操作してもよい。
【００３０】
また、第１送風機１１２が備える軸流ファン１０１および第２送風機１１３が備える軸流ファン１０２は、可変翼機構を備えるようにできる。この場合には、所望の風量等に応じて制御装置６００により可変翼機構を制御することにより、効率的に排気、給気を行うことができる。
【００３１】
また、本実施の形態に係る換気装置Ｆ１は、図２等に示すように、第１屋外開口部１１０および第２屋外開口部１２０の外側に開閉可能なルーバ６０、６１を備えている。
【００３２】
ルーバ６０、６１は、それぞれ３枚の板状部材６０ａ〜６０ｃ、６１ａ〜６１ｃを備え、図示しない蝶番構造によって回動可能に軸支されている。
【００３３】
また、ルーバ６０、６１は、ステッピングモータ等で構成されるアクチュエータＭ３を備え、ファン動作と連動するように制御装置６００により開閉動作が制御される。
【００３４】
また、第１送風機１１２および第２送風機１１３は、フィルタを備えるように構成できる。この場合には、外気に含まれる埃等の室内への侵入を抑制することができる。
【００３５】
また、本実施の形態に係る換気装置Ｆ１は、図１および図５に示すように、室内環境を検知する室内センサ４０を備えている。
【００３６】
室内センサ４０としては、例えば、室内温度を検出する温度センサＳＮ１、室内の湿度を検出する湿度センサＳＮ２、室内のＣＯ２（二酸化炭素）濃度を検出するＣＯ２センサＳＮ３、室内における人間の有無を検出する人感センサＳＮ４等が挙げられる。
【００３７】
そして、制御装置６００は、室内センサ４０の検知結果に基いて、第１送風機１１２、第２送風機１１３、連携手段５０２およびアクチュエータＭ３の動作を制御する。これにより、温度、湿度等の室内環境に応じて、適切なタイミングで換気装置Ｆ１を稼働させることができる。
【００３８】
また、換気装置Ｆ１は、図２および図５に示すように、室外環境を検知する室外センサ２００を備えている。
【００３９】
室外センサ２００としては、外気温を検出する温度センサＳＮ１１、室外の湿度を検出する湿度センサＳＮ１２、室外の風速を検出する風速センサＳＮ１３、降雨の有無を検出する水滴センサＳＮ１４等が挙げられる。
【００４０】
そして、制御装置６００は、室外センサ２００の検知結果に基いて、第１送風機１１２、第２送風機１１３、連携手段５０２およびアクチュエータＭ３の動作を制御する。これにより、各種の室外環境に応じて、適切なタイミングで換気装置Ｆ１を稼働させることができる。
【００４１】
なお、室内センサ４０および室外センサ２００として、照度センサを設ける場合には、制御装置６００の制御により、例えば暗くなった夕方や夜間には、アクチュエータＭ３を動作させてルーバ６０、６１を自動的に閉じるようにできる。
【００４２】
また、室内センサ４０として、室内の有害物質（例えば、一酸化炭素やホルムアルデヒド等）を感知する有害物質感知センサを設けるようにできる。この場合には、有害物質の検出濃度が所定値を超えた際に、制御装置６００の制御により換気装置Ｆ１を稼働させて、室内環境を快適に保つことができる。
【００４３】
また、図１および図３に示すように、換気装置Ｆ１は、窓枠Ｗ１への取付部を備えている。即ち、図３等に示すように、窓枠Ｗ１のレール２５０、２５１に着脱自在に嵌り込む凹部形状の取付部７０、７１が、上端部および下端部に設けられている。
【００４４】
なお、取付部７０、７１や換気装置Ｆ１内部に、発泡材やグラスウール等で構成される断熱材を設けて、断熱性を向上させてもよい。
【００４５】
また、換気装置Ｆ１は、図５に示すように、上記構成に加えて、制御に必要な時間を計測するタイマ７０２、商業用電源７００から所定電圧を生成して各部に供給する電源装置７０１、リモコン５００の操作に応じて各部の動作を指示する操作部５０１、換気装置Ｆ１の稼働をオン・オフするメインＳＷ８００等を備えている。
【００４６】
（換気システム制御処理）
図６Ａ〜図８のフローチャートを参照して、本実施の形態に係る換気装置（換気扇）Ｆ１を備える換気システムＳ１で実行される換気システム制御処理（その１〜その３）の処理手順について説明する。
【００４７】
まず、図６Ａ、図６Ｂを参照して換気システム制御処理（その１）について説明する。
【００４８】
この処理は、例えば、夏季等において住人が外出先から帰宅した際などに適した換気システム制御処理である。
【００４９】
ステップＳ１０では、まずメインＳＷ８００をオンして、換気装置Ｆ１を起動させてステップＳ１１に移行する。
【００５０】
ステップＳ１１では、換気装置Ｆ１が備える温度センサＳＮ１、ＳＮ１１の検出結果に基いて、室温＞外気温か否かが判定され、「Ｙｅｓ」の場合にはステップＳ１２に移行する。
【００５１】
ステップＳ１２では、換気装置Ｆ１が備える水滴センサＳＮ１４、風速センサＳＮ１３の検出結果に基いて、雨天または強風であるか否かが判定され、「Ｙｅｓ」の場合にはステップＳ２６に移行して、エアコン装置Ａ１をオンして処理を終了する。
【００５２】
これにより、雨天または強風により、換気装置Ｆ１を運転することが好ましくないと判断される室外環境下においてエアコン装置Ａ１をオンして、室内環境を快適にすることができる。
【００５３】
また、ステップＳ１２で「Ｎｏ」の場合には、ステップＳ１３に移行して、アクチュエータＭ３を動作させてルーバ６０、６１を開いた後、ステップＳ１４に移行する。
【００５４】
ステップＳ１４では、モータＭ１を駆動してファン（排気ファン）１０１をオンしてステップＳ１５に移行する。
【００５５】
ステップＳ１５では、温度センサＳＮ１、ＳＮ１１の検出結果に基いて、室温＝外気温となったか否かが判定され、「Ｎｏ」の場合にはファン（排気ファン）１０１による排気を継続し、「Ｙｅｓ」の場合にはステップＳ１６に移行する。
【００５６】
ステップＳ１６では、エアコン装置Ａ１をオンしてステップＳ１７に移行する。
【００５７】
これにより、「室温＝外気温」となった環境下でエアコン装置Ａ１をオンすることができるので、エアコン装置Ａ１の負荷を軽減することができ、消費電力を抑えて省エネに資することができる。
【００５８】
ステップＳ１７では、タイマ７０２をオンし、ステップＳ１８で所定時間が経過したか否かが判定される。
【００５９】
そして、判定結果が「Ｎｏ」の場合には時間の計測を継続し、「Ｙｅｓ」の場合にはステップＳ１９に移行する。
【００６０】
ステップＳ１９では、モータＭ１１を停止して、ファン（排気ファン）１０１をオフして、ステップＳ２０に移行する。
【００６１】
ステップＳ２０では、アクチュエータＭ３を駆動してルーバ６０、６１を閉じて処理を終了する。
【００６２】
一方、ステップＳ１１で「Ｎｏ」と判定された場合には、ステップＳ２５に移行して、予め設定される快適温度＞室温か否かが判定される。
【００６３】
そして、判定結果が「Ｎｏ」の場合にはそのまま処理を終了し、「Ｙｅｓ」の場合にはステップＳ２６に移行して、エアコン装置Ａ１をオンした後に処理を終了する。
【００６４】
これにより、エアコン装置Ａ１により、室内を快適温度にすることができる。
【００６５】
次に、図７を参照して換気システム制御処理（その２）について説明する。
【００６６】
この処理は、例えば、夏季や梅雨時等において住人が外出等により留守にした際などに適した換気システム制御処理である。
【００６７】
ステップＳ３０では、まずメインＳＷ８００をオンして、換気装置Ｆ１を起動させてステップＳ３１に移行する。なお、外出等する際には、予めメインＳＷ８００をオンしておく。
【００６８】
ステップＳ３１では、換気装置Ｆ１が備える湿度センサＳＮ２、ＳＮ１２の検出結果に基いて、室内湿度＞屋外湿度か否かが判定され、「Ｎｏ」の場合には待機し、「Ｙｅｓ」の場合にはステップＳ３２に移行する。なお、換気システム制御処理（その１）と同様に、室温と外気温を勘案して判定するようにしてもよい。
【００６９】
ステップＳ３２では、アクチュエータＭ３を動作させてルーバ６０、６１を開いた後、ステップＳ３３に移行する。なお、例えばステッピングモータ等で構成されるアクチュエータＭ３の動作を制御して、ルーバ６０、６１の開度を調整し、半開きの状態等としてもよい。
【００７０】
ステップＳ３３では、モータＭ１、Ｍ２を駆動してファン（排気ファン）１０１およびファン（給気ファン）１０２をオンしてステップＳ３４に移行する。
【００７１】
ステップＳ３４では、連携手段５０２により、エアコン装置Ａ１との連動を行うか否かが判定され、「Ｎｏ」の場合にはステップＳ３６に移行し、「Ｙｅｓ」の場合にはステップＳ３５に移行する。
【００７２】
ステップＳ３５では、エアコン装置Ａ１をオンにしてステップＳ３６に移行する。
【００７３】
ステップＳ３６では、湿度センサＳＮ２、ＳＮ１２の検出結果に基いて、室内湿度＝屋外湿度か否かが判定され、「Ｎｏ」の場合にはファン（排気ファン）１０１およびファン（給気ファン）１０２による給気、排気を継続し、「Ｙｅｓ」の場合には、ステップＳ３７でモータＭ１、Ｍ２を停止してファン（排気ファン）１０１およびファン（給気ファン）１０２をオフしてステップＳ３８に移行する。
【００７４】
ステップＳ３８では、アクチュエータＭ３を動作させてルーバ６０、６１を閉じて処理を終了する。
【００７５】
このような処理により、室内湿度が、屋外湿度より高いような場合に、換気装置Ｆ１とエアコン装置Ａ１を連動（連携）させて、それぞれの機器を単独で運転する場合よりも短時間で快適環境にすることができ、消費電力を抑えて省エネに資することができる。
【００７６】
次に、図８を参照して換気システム制御処理（その３）について説明する。
【００７７】
この処理は、例えば、冬場等において暖房器具を用いる際などに適した換気システム制御処理である。
【００７８】
ステップＳ４０では、まずメインＳＷ８００をオンして、換気装置Ｆ１を起動させてステップＳ４１に移行する。
【００７９】
ステップＳ４１では、換気装置Ｆ１が備えるＣＯ２センサＳＮ３によりＣＯ２濃度を測定してステップＳ４２に移行する。
【００８０】
ステップＳ４２では、ＣＯ２濃度≧基準値か否かが判定され、「Ｎｏ」の場合にはＣＯ２濃度の測定を継続しｍ「Ｙｅｓ」の場合にはステップＳ４３に移行する。
【００８１】
ステップＳ４３では、アクチュエータＭ３を動作させてルーバ６０、６１を開いてステップＳ４４に移行する。
【００８２】
ステップＳ４４では、モータＭ１、Ｍ２を駆動してファン（排気ファン）１０１およびファン（給気ファン）１０２をオンしてステップＳ４５に移行する。
【００８３】
ステップＳ４５では、ＣＯ２濃度＜基準値か否かが判定され、「Ｎｏ」の場合にはファン（排気ファン）１０１およびファン（給気ファン）１０２による給気、排気を継続し、「Ｙｅｓ」の場合には、ステップＳ４６に移行する。なお、換気装置Ｆ１が備える温度センサＳＮ１、ＳＮ１１の検出結果を勘案してファン（排気ファン）１０１およびファン（給気ファン）１０２をオン、オフするように制御してもよい。
【００８４】
ステップＳ４６では、モータＭ１、Ｍ２を停止してファン（排気ファン）１０１およびファン（給気ファン）１０２をオフしてステップＳ４７に移行する。
【００８５】
ステップＳ４７では、アクチュエータＭ３を動作させてルーバ６０、６１を閉じて処理を終了する。
【００８６】
このような処理によれば、例えば石油ストーブ等の暖房器具の使用により、室内のＣＯ２濃度が基準値を超えた場合に、自動的に換気装置Ｆ１を稼働して、快適環境を維持することができる。
【００８７】
なお、換気装置Ｆ１が備える温度センサＳＮ１、ＳＮ１１の検出結果に基いて、室温と外気温との差が大きい場合には、室温維持を優先してファン（排気ファン）１０１およびファン（給気ファン）１０２をオフしたり、或いはステッピングモータ等で構成されるアクチュエータＭ３の動作を制御して、ルーバ６０、６１の開度を調整し、半開きの状態等としてもよい。
【００８８】
また、タイマ７０２で時間を計測し、断続してファン（排気ファン）１０１およびファン（給気ファン）１０２をオン、オフするようにして、換気を行いつつ、室温を維持するようにしてもよい。
【００８９】
（省電力の効果について）
図９のグラフを参照して、本実施の形態に係る換気システムＳ１による省電力の効果について簡単に説明する。
【００９０】
図９のグラフにおいて、縦軸は積算消費電力［ｋＷｈ］を示し、横軸は時間［ｍｉｎ］を示している。
【００９１】
また、図９のグラフの線分Ｌ１、Ｌ２は、異なる外気温でエアコン装置Ａ１を単独で運転した場合の積算消費電力の遷移状態を表し、線分Ｌ３は、上述の換気システム制御処理のように換気装置Ｆ１とエアコン装置Ａ１を連携させて併用した場合の積算消費電力の遷移状態を表す。
【００９２】
線分Ｌ１、Ｌ２と、線分Ｌ３の積算消費電力の遷移状態を比較すると分かるように、換気装置Ｆ１とエアコン装置Ａ１を連携させて併用した場合の積算消費電力は、エアコン装置Ａ１を単独で運転した場合の積算消費電力の約半分以下となっている。
【００９３】
このように、本実施の形態に係る換気システムＳ１において、上述のような換気システム制御処理を実行して換気装置Ｆ１とエアコン装置Ａ１を連携させて稼働させることにより、エアコン装置Ａ１を単独で運転した場合より消費電力を抑えることができ、省電力、省エネに資することができる。
【００９４】
次に、図１０から図１３を参照して、本技術を適用した実施の形態の実施例に係る換気装置Ｆ２ａ〜Ｆ２ｃについて説明する。
【００９５】
なお、換気装置Ｆ１と同様の構成については、同一符号を付して詳細な説明は省略する。
【００９６】
換気装置Ｆ１と、換気装置Ｆ２ａ〜Ｆ２ｃとの主な相違点は、排気ファンおよび給気ファンとして軸流ファン１０１、１０２に代えて、貫流ファン（クロスフローファン）９０１、９０２を用いた点である。
【００９７】
即ち、換気装置Ｆ２ａ〜Ｆ２ｃは、屋内側に開口した第１屋内開口部１０および第２屋内開口部２０と、第１屋内開口部１０および第２屋内開口部２０と対向して屋外側に開口した第１屋外開口部１１０および第２屋外開口部１２０と、第１屋内開口部１０と第１屋外開口部１１０との間に配置される第１送風機１１２と、第２屋内開口部と第２屋外開口部との間に配置される第２送風機１１３と、本装置と離間して設置されるエアコン装置Ａ１と動作を連携させる連携手段（通信部５０２）と、第１送風機１１２、第２送風機１１３および連携手段５０２の動作を制御する制御装置６００とを備え、第１送風機１１２および第２送風機１１３は、それぞれ貫流ファン（クロスフローファン）９０１、９０２を備える構成となっている。
【００９８】
ここで、図１０および図１１の概略構成図を参照して、貫流ファン９０１（９０２）の構成例について説明する。なお、貫流ファン９０１、９０２は同一構造である。
【００９９】
図１１に示すように、貫流ファン９０１（９０２）は、吸込口９５０と吹出口９５１を対向位置に有するケーシング９２０内に、モータＭ１（Ｍ２）の回転軸９６０および回転軸（従動軸）９６１によって軸支される羽根車９５３が回転自在に設けられている。
【０１００】
ケーシング９２０内の一側面（図１１上は、右側面）側には、吹出口９５１から吸引した空気Ｗ１０〜Ｗ３０を吹出口９５１側に案内するリアガイダ９２２が設けられている。
【０１０１】
また、ケーシング９２０内の吹出口９５１の近傍（図１１上は、左端側）に有って、図上、上方に延設されるスタビライザ９２１が設けられている。
【０１０２】
このような構成の貫流ファン９０１（９０２）は、モータＭ１（Ｍ２）が回転することにより、羽根車９５３がＤ２０方向に回転し、空気Ｗ１０が吸込口９５０を経由してケーシング９２０内に流入する。
【０１０３】
そして、羽根車９５３から流出した空気Ｗ２０は、スタビライザ９２１、リアガイダ９２２などで構成される通風路を経由して、吹出口９５１から空気Ｗ３０として吹き出される。
【０１０４】
図１０に示す換気装置Ｆ２ａでは、筐体９８０内に、図１０上、上下の対称位置に、２機の貫流ファン（クロスフローファン）９０１、９０２が配設されている。
【０１０５】
また、換気装置Ｆ２ａでは、貫流ファン（クロスフローファン）９０１、９０２に隣接（図上は、右隣り側）させて、室内センサ４０、室外センサ２００および制御装置６００が配設されている。なお、室内センサ４０、室外センサ２００および制御装置６００は、貫流ファン（クロスフローファン）９０１、９０２の左隣り側に配設する構成としてもよい。
【０１０６】
このように、貫流ファン（クロスフローファン）９０１、９０２を直列に配設することにより、軸流ファンを用いる場合に比して換気装置全体の横幅を縮小することが可能となり、よりコンパクトな換気システムを提供することができる。
【０１０７】
図１２に示す換気装置Ｆ２ｂでは、筐体９８０内に、図１２上、上下の対称位置に、２機の貫流ファン（クロスフローファン）９０１、９０２が配設されている。
【０１０８】
また、換気装置Ｆ２ｂでは、貫流ファン（クロスフローファン）９０１、９０２の下方位置に、室内センサ４０、室外センサ２００および制御装置６００が配設されている。なお、室内センサ４０、室外センサ２００および制御装置６００は、貫流ファン（クロスフローファン）９０１、９０２の上方に配置する構成としてもよい。
このように、室内センサ４０、室外センサ２００および制御装置６００を貫流ファン（クロスフローファン）９０１、９０２の下方位置に配設することにより、換気装置全体をよりコンパクトにすることができ、設置場所の省スペース化を図ることができる。
【０１０９】
図１３に示す換気装置Ｆ２ｃでは、筐体９８０内に、図１３上、左右の対称位置に、２機の貫流ファン（クロスフローファン）９０１、９０２が隣接して配設されている。
【０１１０】
また、換気装置Ｆ２ｃでは、貫流ファン（クロスフローファン）９０１、９０２の下方位置に、室内センサ４０、室外センサ２００および制御装置６００が配設されている。なお、室内センサ４０、室外センサ２００および制御装置６００は、貫流ファン（クロスフローファン）９０１、９０２の上方に配置する構成としてもよい。
【０１１１】
これにより、貫流ファン（クロスフローファン）９０１、９０２自体の縦寸法を長くすることが可能となるので、より均一な風量で外気を室内に取り込むことができる。
【０１１２】
次に、図１４から図２５を参照して、本技術を適用した実施の形態に係る換気装置Ｆ３について説明する。
【０１１３】
なお、換気装置Ｆ１および換気装置Ｆ２ａ〜Ｆ２ｃと同様の構成については、同一符号を付して詳細な説明は省略する。
【０１１４】
換気装置Ｆ３は、複数機の貫流ファンを備える換気装置Ｆ２ａ〜Ｆ２ｃとは異なり、１機の貫流ファン（クロスフローファン）６５０のみを備えたタワーファン型とされている。
【０１１５】
そして、換気装置Ｆ３は、図２０〜図２２を参照して後述する内部構造により、１機の貫流ファン（クロスフローファン）６５０により、同時の給排気を実現でき、省スペース化およびコストの低廉化を図ることができる。なお、貫流ファン（クロスフローファン）６５０の制御方法等は、本技術を適用した実施の形態に係る換気装置Ｆ１および本技術を適用した実施の形態に係る換気装置Ｆ２ａ〜Ｆ２ｃと同様である。
【０１１６】
また、図１４〜図１８に示すように、換気装置Ｆ３は、窓枠８６０に取り付けられる取付用枠体７５０を備え、換気装置Ｆ３自体は、この取付用枠体７５０を介してＤ１０方向から窓枠８６０に設置されるようになっている。
【０１１７】
さらに、図１９に示すように、取付用枠体７５０は、この取付用枠体７５０に当接される窓Ｗ１の桟部８５０と係合してロックするロック機構Ｌを上下２箇所に備えている。
【０１１８】
また、図２３〜図２５に示すように、取付用枠体７５０の外側に、開閉可能な複数のルーバ８９１を有する鎧戸８９０が設けられている。
【０１１９】
以下に各構成および効果について説明する。
【０１２０】
（取付用枠体の構成）
図１４〜図１７を参照して、換気装置Ｆ３を固定する取付用枠体７５０の構成について説明する。
【０１２１】
ここで、図１４は、換気装置Ｆ３およびその取付用枠体７５０を示す斜視図、図１５は、取付用枠体７５０の構成例を示す斜視図、図１６は、取付用枠体７５０の窓枠８６０への取付状態を示す斜視図、図１７は、換気装置Ｆ３の取付状態を示す斜視図である。
【０１２２】
取付用枠体７５０は、図上、左右一対の支柱７５１と、網目状の通気部を有する通気パネル７５２等により、矩形状の枠が形成され、この枠内に換気装置Ｆ３を嵌め込んで保持するようになっている。
【０１２３】
このように取付用枠体７５０を介して換気装置Ｆ３を窓枠８６０に取り付ける構成により、取付作業を簡易化して利便性を向上することができる。
【０１２４】
各支柱７５１は、図１４等に示すように、例えば中空の角柱等で構成され、各中空部に挿入される伸長用ロッド７９０（後出の図１８参照）により長さを調節可能の構成されている。このような構成により、種々の寸法の窓枠に合わせて伸長用ロッド７９０を延伸することができ、利便性を一層向上することができる。なお、伸長用ロッド７９０を伸長した状態の詳細については後述する。
【０１２５】
図１４等に示すように、取付用枠体７５０の下端部に、窓枠８６０への固定部材７８０が設けられている。
【０１２６】
固定部材７８０は、室内側の窓枠端部８６０ａに当接される板状の当接部７８１と、当接部７８１に螺合されて窓枠端部８６０ａに対して押圧されて取付用枠体７５０を固定する蝶ネジ７８２等から構成される。
【０１２７】
また、固定部材７８０の上面には、換気装置Ｆ３の下端側に形成される係合部（図示せず）と係合される係合突起部（リブ）７５４が設けられている。
【０１２８】
通気パネル７５２の上方には、換気装置Ｆ３側に設けられる係合突起６７０と係合される係合凹部７５３が設けられている。
【０１２９】
なお、係合突起６７０は、バネ等により上方側に付勢され、係合凹部７５３との着脱時に上下方向に進退するように構成してもよい。
【０１３０】
各伸長用ロッド７９０の上端部には、図１５等に示すように、窓枠８６０の端面８６０ｂに対して突っ張るように繰り出して固定するアジャスタねじ７７２が設けられている。
【０１３１】
上述のアジャスタねじ７７２を繰り出して窓枠８６０を押圧して固定することにより、取付用枠体７５０と窓枠８６０の寸法差を吸収してガタツキ無く窓枠８６０に取り付けることができる。
【０１３２】
また、取付用枠体７５０側の係合部材７５３、７５４を介して換気装置Ｆ３を取り付けることにより、取付作業を簡易化して利便性を一層向上することができる。
【０１３３】
即ち、取付用枠体７５０に換気装置Ｆ３を取り付ける際には、まず、取付用枠体７５０の下側の係合突起部（リブ）７５４と換気装置Ｆ３の下端側の係合溝とを係合させて位置合わせする。次いで、換気装置Ｆ３を取付用枠体７５０側に押し込んで、取付用枠体７５０の上側の係合凹部７５３に、換気装置Ｆ３側の係合突起６７０を係合させるだけの簡易な作業で取り付けを行うことができる。
【０１３４】
なお、取付用枠体７５０が窓Ｗ１と当接する側の上端部、下端部、側端部に、ウレタンフォームやゴム等で構成されるシール材（或いは断熱材）を貼付するようにしてもよい。これにより、取付用枠体７５０と窓Ｗ１との隙間を塞いで、断熱性を高めることができる。
【０１３５】
また、図１４、図１５、図１７等に示すように、取付用枠体７５０の下端側および上端側には、取付用枠体７５０に当接される窓Ｗ１の桟部８５０と係合してロックするロック機構Ｌが設けられている。ロック機構Ｌの詳細な構成および動作については後述する。このロック機構Ｌにより、換気装置Ｆ３を窓枠８６０に取り付けた状態において、窓Ｗ１をロックすることができ、利便性や防犯性を向上できる。
【０１３６】
なお、ロック機構Ｌは、取付用枠体７５０の下端側または端側の一方のみに設けるようにしてもよい。
【０１３７】
（取付用枠体の伸長状態について）
図１８を参照して、取付用枠体７５０の伸長用ロッド７９０を伸長した状態について説明する。
【０１３８】
図１８は、取付用枠体７５０の伸長状態を示す説明図である。
【０１３９】
比較的縦長の窓枠８６０に取付用枠体７５０を取り付ける場合には、窓枠８６０の縦寸法に合わせて、図１８に示すように支柱７５１の上端側から伸長用ロッド７９０を引き上げて高さを調節する。そして、伸長用ロッド７９０の引き出し量を調節した後、固定用ネジ７９７を締めて、伸長用ロッド７９０の位置を固定する。
【０１４０】
なお、伸長用ロッド７９０は、無段階で引き出し可能に構成してもよいし、或いは複数段階で伸縮可能なラチェット機構等を備える構造としてもよい。
【０１４１】
そして、窓枠８６０の縦寸法に合わせて伸長用ロッド７９０を伸長させた後、上述のように、アジャスタねじ７７２によって窓枠８６０に固定する。
【０１４２】
また、取付用枠体７５０には、図１８に示すように、支柱７５１の伸長によって換気装置Ｆ３の取付時に生じる隙間を塞ぐスペーサ７９５が取り付けられる。このスペーサ７９５は、隙間の高さに合わせて複数種類のサイズを用意するとよい。
【０１４３】
なお、スペーサ７９５には、伸長された伸長用ロッド７９０を支持する支持部７９６が形成されている。
【０１４４】
（ロック機構について）
図１９を参照して、取付用枠体７５０が備えるロック機構Ｌの構成および動作について説明する。
【０１４５】
図１９（ａ）は、取付用枠体７５０が備えるロック機構Ｌの回動状態を示す説明図、図１９（ｂ）は、ロック機構Ｌの窓Ｗ１との当接状態を示す説明図である。
【０１４６】
図１９（ａ）、（ｂ）に示すように、ロック機構Ｌは、回転軸７６２ａによりＤ５０方向に回動可能に支持されるロック本体７６１と、ロック本体７６１の端部に有って、窓Ｗ１の桟部８５０の開放側の端部と係合して、窓Ｗ１の開放側への移動を阻止する係合部（ツメ部）７６１ａを備える。
【０１４７】
また、ロック本体７６１を固定する固定ネジ７６２が設けられている。
【０１４８】
ここで、図１９（ａ）、（ｂ）に示すように、ロック本体７６１は、窓Ｗ１の桟部８５０と接触しない第１位置Ｐ１と、窓Ｗ１の桟部８５０と当接する第２位置Ｐ２とに移動可能（回動可能）に構成されている。
【０１４９】
なお、ロック本体７６１の幅寸法および係合部（ツメ部）７６１ａの位置等は、窓Ｗ１の桟部８５０の寸法等に合わせて設計される。
【０１５０】
そして、窓Ｗ１を取付用枠体７５０側に閉めた状態において、ロック本体７６１を図１９（ａ）に示す第１位置Ｐ１から、Ｄ５０方向に回動させて第２位置Ｐ２に回動させると、係合部（ツメ部）７６１ａが窓Ｗ１の桟部８５０の端部８５０ｂに係合される。これにより、窓Ｗ１は、開放側（図上、右側）への移動がロック本体７６１により阻止され、施錠した状態とすることができる。
【０１５１】
（貫流ファンについて）
次に、図２０から図２２および図１７を参照して、貫流ファン（クロスフローファン）６５０の構成、動作および効果について説明する。
【０１５２】
ここで、図２０は、貫流ファン６５０を備えた換気装置Ｆ３の外観を示す正面図、図２１は、図２０に係る換気装置Ｆ３のＡ−Ａ線断面図、図２２は、図２０に係る換気装置Ｆ３のＢ−Ｂ線断面図である。
【０１５３】
換気装置Ｆ３に適用される貫流ファン６５０は、空気の給排気を行う一対の開口部９５０ａ（９５０ｂ）、９５１ａ（９５１ｂ）を対向位置に有するケーシング９２０と、ケーシング９２０内に設けられる一つのモータ（図示せず）と、モータの回転軸９６０に軸支されＤ２０方向に回転される羽根車９５３と、ケーシング９２０内の一側面に有って一方の開口部９５０ａ（９５０ｂ）から吸引した空気Ｗ１０ａ（Ｗ１０ｂ）を、他方の開口部９５１ａ（９５１ｂ）側に案内するリアガイダ９２２ａ（９２２ｂ）と、開口部９５１ａ（９５１ｂ）の近傍に有って、リアガイダ９２２ａ（９２２ｂ）に沿って流れる空気Ｗ２０ａ（Ｗ２０ｂ）を開口部９５１ａ（９５１ｂ）から排出するように導くスタビライザ９２１ａ（９２１ｂ）とを備えている。
【０１５４】
そして、貫流ファン６５０は、羽根車９５３の長手方向の所定位置（例えば、図２０に示すような略中央の位置Ｃ）を境に、リアガイダ９２２ａ（９２２ｂ）およびスタビライザ９２１ａ（９２１ｂ）を点対称となる位置に配置している（図２１および図２２参照）。これにより、開口部９５０ａ（９５０ｂ）、９５１ａ（９５１ｂ）からの給排気方向を反転させている。
【０１５５】
また、図２１および図２２に示すように、貫流ファン６５０は、フィルタ６７０ａ、６７０ｂを備えている。
【０１５６】
このフィルタ６７０ａ、６７０ｂは、スタビライザ９２１ａ、９２１ｂと対向する側の開口部９５０ａ、９５０ｂを覆うように夫々配置されている。
【０１５７】
図２１、図２２に示すように、フィルタ６７０ａ、６７０ｂは、ケーシング９２０の側面に開口されるフィルタ用開口部６６０、６６１から着脱されるようになっている。
【０１５８】
このような構成により、換気装置Ｆ３の貫流ファン６５０を稼働せると、図１７に示すように、貫流ファン６５０の上半分では、室内の空気を外部に排出する排気が行われ、同時に、貫流ファン６５０の下半分では、外部の空気を室内に導入する給気が行われる。
【０１５９】
このように、本実施の形態に係る換気装置Ｆ３は、１機の貫流ファン（クロスフローファン）６５０で、同時の給排気を実現できるので、装置自体をコンパクトに構成でき、取付場所の省スペース化を図ることができる。また、モータ等の部品点数を低減でき、コストの低廉化を図ることができる。
【０１６０】
（鎧戸について）
図２３〜図２５を参照して、換気装置Ｆ３の室外側に取り付けられる鎧戸８９０について説明する。
【０１６１】
ここで、図２３は、換気装置Ｆ３への鎧戸８９０の取付状態を示す斜視図、図２４は、鎧戸８９０の内部構成の一部を示す斜視図、図２５は、鎧戸の外観を示す斜視図である。
【０１６２】
鎧戸８９０は、図２３〜図２５に示すように、短冊状のルーバ８９１を複数枚に亘って備え、回動可能に軸支されている。
【０１６３】
図２４に示すように、ルーバ８９１は、モータ等の鎧戸用アクチュエータ（図示せず）を備えたリンク機構８９５に接続されている。なお、リンク機構８９５は、ルーバ８９１の端部の一方のみに接続されてもよいし、両端部側に接続されるように構成してもよい。
【０１６４】
また、モータ等の鎧戸用アクチュエータは、制御装置６００によって動作が制御される。
【０１６５】
このような構成の鎧戸８９０は、例えば、取付用枠体７５０の外側に嵌め込んで固定され、外壁材としてのパネルフレーム９７０によって覆われている。なお、窓枠の上部との間に隙間が生じる場合には、追加パネル９７０ａを嵌め込んで塞ぐように構成されている。
【０１６６】
そして、鎧戸８９０は、換気装置Ｆ３の貫流ファン６５０の動作等に合わせて、制御装置６００の制御によりルーバ８９１が開閉される。これにより、雨風等が換気装置Ｆ３および室内に侵入することを回避することができる。
【０１６７】
なお、外側の窓Ｗ１の端部に、内側の窓Ｗ２との隙間を塞ぐ、シールサッシュを設けるようにできる。これにより、雨風等が室内に侵入することを回避することができる。
【０１６８】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。
【０１６９】
このように、本実施の形態はここでは記載していない様々な実施の形態などを含む。
【産業上の利用可能性】
【０１７０】
本実施の形態の換気装置および換気システムは、一般住宅やオフィス等に適用することができる。
【符号の説明】
【０１７１】
Ａ１…エアコン装置
Ｆ１、Ｆ２ａ、Ｆ２ｂ、Ｆ２ｃ、Ｆ３…換気装置
Ｓ１…換気システム
１０…第１屋内開口部
２０…第２屋内開口部
３０…壁部
４０…室内センサ
６０、６１…ルーバ
６０ａ〜６０ｃ、６１ａ〜６１ｃ…板状部材
１０１…軸流ファン（排気ファン）
１０２…軸流ファン（給気ファン）
１１２…第１送風機
１１３…第２送風機
１１０…第１屋外開口部
１２０…第２屋外開口部
２００…屋外センサ
５０２…通信部（連携手段）
６００…制御装置
６５０…貫流ファン（クロスフローファン）
６６０、６６１…フィルタ用開口部
６７０ａ、６７０ｂ…フィルタ
７５０…取付用枠体
７５１…支柱
７５３、７５４…係合部材
７７２…アジャスタねじ
７９０…伸長用ロッド
８５０…桟部
８６０…窓枠
８９０…鎧戸
８９１…ルーバ
８９５…リンク機構
９０１…貫流ファン（クロスフローファン：排気ファン）
９０２…貫流ファン（クロスフローファン：給気ファン）
９２１ａ、９２１ｂ…スタビライザ
９２０…ケーシング
９２２ａ、９２２ｂ…リアガイダ
９５０ａ、９５０ｂ、９５１ａ、９５１ｂ…開口部
Ｌ…ロック機構
Ｍ１、Ｍ２…モータ
Ｍ３…アクチュエータ
Ｗ１、Ｗ２…窓
【図１】
2019095180.tif 000003
【図２】
2019095180.tif 000004
【図３】
2019095180.tif 000005
【図４】
2019095180.tif 000006
【図５】
2019095180.tif 000007
【図６Ａ】
2019095180.tif 000008
【図６Ｂ】
2019095180.tif 000009
【図７】
2019095180.tif 000010
【図８】
2019095180.tif 000011
【図９】
2019095180.tif 000012
【図１０】
2019095180.tif 000013
【図１１】
2019095180.tif 000014
【図１２】
2019095180.tif 000015
【図１３】
2019095180.tif 000016
【図１４】
2019095180.tif 000017
【図１５】
2019095180.tif 000018
【図１６】
2019095180.tif 000019
【図１７】
2019095180.tif 000020
【図１８】
2019095180.tif 000021
【図１９】
2019095180.tif 000022
【図２０】
2019095180.tif 000023
【図２１】
2019095180.tif 000024
【図２２】
2019095180.tif 000025
【図２３】
2019095180.tif 000026
【図２４】
2019095180.tif 000027
【図２５】
2019095180.tif 000028